(57)【要約】【課題】  アンテナを読取装置本体から簡単かつ迅速に延出させ、又、収納させることができ、アンテナの機械的強度、耐久性も高い携帯用データ読取装置を提供する。【解決手段】  読取装置本体２とアンテナ３とから構成される携帯用データ読取装置１において、金属線材３１を合成樹脂３２によって被覆して薄板材に成形して、アンテナ３を構成する。読取装置本体２の裏面部にアンテナ収納部８を配設すると共に、アンテナ３を滑動自在とし、アンテナ収納部８から引出自在とする。【選択図】          図４
2006086569.tif 000002
【特許請求の範囲】
【請求項１】
動作状態、動作指令、情報データ等を表示する表示部と、動作指令、情報データ等を入力する操作部と、電磁波信号を受信して情報データ信号に変換すると共に、指令信号、情報データ信号を電磁波信号に変換する送信受信部と、操作部から入力された動作指令、情報データ等を処理し、送信受信部に受信された情報データ信号を読み取ると共に、送信受信部に動作指令信号、情報データ信号を送信し、表示部に動作状態、動作指令、情報データ等を出力、表示させる制御処理部と、を備えた読取装置本体と、ＩＣタグから発信される電磁波信号を捕捉して情報データを取得すると共に、電磁波信号を発信してＩＣタグに情報データを付与するアンテナと、から構成される携帯用データ読取装置であって、前記アンテナは、金属線材を合成樹脂によって被覆して薄板材に成形したことを特徴とする携帯用データ読取装置。
【請求項２】
前記読取装置本体の裏面部にアンテナ収納部を配設すると共に、前記アンテナを滑動自在とし、前記アンテナ収納部から引出自在としたことを特徴とする請求項１に記載の携帯用データ読取装置。
【発明の詳細な説明】
【技術分野】
【０００１】
本発明は、ＩＣタグに格納された情報データを非接触で読み取ると共に、情報データをＩＣタグに非接触で書き込むことができる携帯用データ読取装置に関する。
【背景技術】
【０００２】
近年、物品に関する情報データを管理するために、極小のＩＣチップ及びアンテナを搭載したＩＣタグが使用されている。そして、このＩＣタグに格納した情報データは、表示部、操作部、送信受信部、制御処理部等を備えた読取装置本体及びアンテナから成る携帯用データ読取装置によって、非接触で読み取ることができるようになっている。
【０００３】
すなわち、ＩＣタグを物品又はその包装容器の表面に固着しておき、ＩＣタグの表面に携帯用データ読取装置のアンテナを接近させ、ＩＣタグから発信される電磁波信号をアンテナによって捕捉してＩＣタグに格納された情報データを読み取る。そして、液晶ディスプレイ等から成る読取装置本体の表示部に、情報データを文字、数字及び記号等で表示するようになっている。
【０００４】
ここで、ＩＣタグに格納された情報データを確実に読み取るには、ＩＣタグの表面に携帯用データ読取装置のアンテナを極力接近させると共に、ＩＣタグの表面に対するアンテナの傾斜角度を所定値以下にする必要がある。
【０００５】
ＩＣタグが移動可能な小型物品又は包装容器に固着されている場合には、その物品又は包装容器を片手で把持したり、適宜場所に載置することによって、携帯用データ読取装置のアンテナの位置及び傾斜角度を適当に設定することができる。
【０００６】
しかし、ＩＣタグが移動不能な大型物品又は包装容器に固着されている場合には、物品又は包装容器を把持したり、適宜場所に載置することができず、携帯用データ読取装置のアンテナの位置及び傾斜角度を適当に設定することができない。
よって、ＩＣタグに格納された情報データを確実に読み取ることができなかったり、格納された情報データを誤って読み取ってしまうこともあった。
【０００７】
かかる問題点を解消するために、図８に示すように、屈曲自在な金属線材からアンテナ１０３を構成し、読取装置本体１０２にそのアンテナ１０３を収納する収納パイプ１０４を装備した携帯用データ読取装置１０１が提案されている（特許文献１参照）。
【０００８】
この携帯用データ読取装置１０１によれば、アンテナ１０３を収納パイプ１０４から延出させ、適宜傾斜角度に屈曲させることによって、ＩＣタグの表面にアンテナ１０３を極力接近させると共に、ＩＣタグの表面に対してアンテナ１０３を所定傾斜角度に設定することができるので、ＩＣタグに格納された情報データを誤ることなく、確実に読み取ることができる。
【０００９】
【特許文献１】特２００４−１３９６０８号公報
【発明の開示】
【発明が解決しようとする課題】
【００１０】
しかし、特許文献１に開示された携帯用データ読取装置１０１にあっては、作業者が手指によって、金属線材から成るアンテナ１０３を引っ張って収納パイプ１０４から延出させると共に、押し込んで収納パイプ１０４に収納させなければならず、結構面倒であると共に、時間もかかった。
特に、一旦屈曲させた金属線材から成るアンテナ１０３を完全に原形に戻すことは容易ではなく、収納パイプ１０４に収納させるのは面倒であった。
【００１１】
又、屈曲自在な金属線材から成るアンテナ１０３は、屈曲し易いと同時に永久変形し易く、屈曲を繰り返すことによって、完全には原形に戻らなくなったり、金属線材から成ることから、機械的強度は弱く、耐久性にも問題があり、比較的短期間のうちに破損する虞もあった。
【００１２】
本発明は、かかる従来の問題点に鑑みて為されたものであって、その目的とするところは、アンテナを読取装置本体から簡単かつ迅速に延出させると共に、収納させることができ、アンテナが容易に永久変形することなく、機械的強度、耐久性にも問題がなく、長期使用によっても簡単には破損しない携帯用データ読取装置を提供することにある。
【課題を解決するための手段】
【００１３】
上記目的を達成するために、本発明は、動作状態、動作指令、情報データ等を表示する表示部と、動作指令、情報データ等を入力する操作部と、電磁波信号を受信して情報データ信号に変換すると共に、指令信号、情報データ信号を電磁波信号に変換する送信受信部と、操作部から入力された動作指令、情報データ等を処理し、送信受信部に受信された情報データ信号を読み取ると共に、送信受信部に動作指令信号、情報データ信号を送信し、表示部に動作状態、動作指令、情報データ等を出力、表示させる制御処理部と、を備えた読取装置本体と、ＩＣタグから発信される電磁波信号を捕捉して情報データを取得すると共に、電磁波信号を発信してＩＣタグに情報データを付与するアンテナと、から構成される携帯用データ読取装置において、前記アンテナを、金属線材を合成樹脂によって被覆して薄板材に成形したことを特徴とする。
【００１４】
さらに、前記読取装置本体の裏面部にアンテナ収納部を配設すると共に、前記アンテナを滑動自在とし、前記アンテナ収納部から引出自在としたことを特徴とする。
【発明を実施するための最良の形態】
【００１５】
以下、本発明の携帯用データ読取装置の好適な実施形態について、図面を参照して説明する。
【００１６】
本発明の携帯用データ読取装置１は、図１乃至図４に示すように、読取装置本体２とアンテナ３とから構成される。
【００１７】
読取装置本体２は、図１及び図２に示すように、表面部に表示部４及び操作部５を、内部に送信受信部６及び制御処理部７を、裏面部にアンテナ収納部８を配設してある。
【００１８】
表示部４は、筐体９の表面部に配設された液晶ディスプレイから構成され、読取装置本体２の動作状態、動作指令、ＩＣタグに格納された情報データ等を文字、数字及び記号等によって表示する。
【００１９】
操作部５は、筐体９の表面部に配設された電源ボタン５１、文字、数字及び記号ボタン５２、データ読取ボタン５３、動作モードボタン５４、カーソル移動ボタン５５等から構成され、読取装置本体２に各種動作指令、情報データ等を入力する。
【００２０】
送信受信部６は、筐体９の内部に配設された送信受信回路から構成され、アンテナ３が捕捉した電磁波信号を受信して適宜情報データ信号に変換し、又、各種指令信号、情報データ信号を電磁波信号に変換してアンテナ３に送信する。
【００２１】
制御処理部７は、筐体９の内部に配設された中央処理装置（ＣＰＵ）、制御処理回路等から構成され、操作部５から入力された各種動作指令、情報データ等を処理し、送信受信部６に受信された情報データ信号を読み取ると共に、送信受信部６に各種動作指令信号、情報データ信号を送信し、表示部４に動作状態、動作指令、情報データ等を出力、表示させる。
【００２２】
アンテナ収納部８は、図２に示すように、筐体９の裏面部に隆起させて形成し、アンテナ３を引出自在に収納できるようになっている。
アンテナ収納部８の一端部には開口部８１を形成してあり、アンテナ３の引出方向に案内溝部８２を形成してある。
【００２３】
アンテナ３は、図５及び図６に示すように、先端部をＵ字状とした金属線材３１を合成樹脂３２によって被覆して、先端部を円弧状とした薄板材に成形したものであり、ＩＣタグから発信される電磁波信号を捕捉して情報データを取得すると共に、電磁波信号を発信してＩＣタグに情報データを付与する。
アンテナ３の基端部は、アンテナ支持体１０ａ，１０ｂによって挟持し、摘持部材１１を螺着してある。
【００２４】
そして、図２及び図４に示すように、アンテナ３の基端部及びアンテナ支持体１０ａ，１０ｂをアンテナ収納部８内に位置させ、摘持部材１１をアンテナ収納部８の案内溝部９２から突出させ、アンテナ支持体１０ａ，１０ｂをアンテナ収納部８内で摺動自在とすることによって、アンテナ３を引出自在としてある。
【００２５】
よって、作業者が手指で押圧して摘持部材１１を一端部に移動させれば、図３及び図４に示すように、アンテナ３の先端部を開口部９１から突出させ、アンテナ３をアンテナ収納部８から引き出すことができ、摘持部材１１を他端部に移動させれば、図１及び図３に示すように、アンテナ３をアンテナ収納部８内に収納することができる。
【００２６】
本発明の携帯用データ読取装置１によれば、図７に示すように、作業者が手指で押圧して摘持部材１１を一端部に移動させ、アンテナ３をアンテナ収納部８から滑動させて引き出し、物品又は包装容器の表面に固着したＩＣタグＡにアンテナ３の先端部を極力接近させることによって、ＩＣタグＡに格納された情報データを誤ることなく、確実に読み取ることができる。
【００２７】
特に、図７に示すように、ＩＣタグＡの固着位置の近傍に段差、凸部が形成されている場合において、従来の携帯用データ読取装置１０１のように、一々、金属線材から成るアンテナ１０３を収納パイプ１０４から延出させ、その長さ及び傾斜角度を設定する必要がないから、情報データの読取作業を簡単に行うことができる。
【００２８】
又、手指で摘持部材１１を押圧して移動させることによって、アンテナ３を滑動自在としたから、アンテナ３をアンテナ収納部８から簡単に引き出すことができ、又、アンテナ収納部８内に簡単に収納することができ、アンテナ３の引き出し、収納作業は、極めて簡単であり、時間もかからない。
【００２９】
さらに、アンテナ３は、金属線材３１を合成樹脂３２によって被覆した薄板材に成形したものであるから、従来の金属線材から成るアンテナ１０３と比較すると、復元力が格段に高く、容易には永久変形せず、又、機械的強度、耐久性も格段と優れ、長期使用によっても簡単には破損しない。
【００３０】
又、アンテナ収納時には、アンテナ３はアンテナ収納部８内で完全に収納することができるから、携帯用データ読取装置１を誤って落下させたり、衝突させたりしても、アンテナ３が変形したり、破損したりすることがない。
【図面の簡単な説明】
【００３１】
【図１】本発明の携帯用データ読取装置の正面図である。
【図２】本発明の携帯用データ読取装置の背面図である。
【図３】アンテナを引き出した状態における本発明の携帯用データ読取装置の正面図である。
【図４】アンテナを引き出した状態における本発明の携帯用データ読取装置の背面図である。
【図５】本発明の携帯用データ読取装置の構成要素であるアンテナの正面図である。
【図６】本発明の携帯用データ読取装置の構成要素であるアンテナの側面図である。
【図７】本発明の携帯用データ読取装置の使用状態を示す説明図である。
【図８】従来の携帯用データ読取装置の斜視図である。
【符号の説明】
【００３２】
１  携帯用データ読取装置
２  読取装置本体
３  アンテナ
３１  金属線材
３２  合成樹脂
４  表示部
５  操作部
６  送信受信部
７  制御処理部
８  アンテナ収納部
Ａ  ＩＣタグ
【図１】
2006086569.tif 000003
【図２】
2006086569.tif 000004
【図３】
2006086569.tif 000005
【図４】
2006086569.tif 000006
【図５】
2006086569.tif 000007
【図６】
2006086569.tif 000008
【図７】
2006086569.tif 000009
【図８】
2006086569.tif 000010